(57)【要約】【課題】  降雨による都市型水害の効率的な防止を図る為の貯水槽の設置、及び雨水管理システムの提供。【解決手段】  都市部の狭い空間でも設置できる小型の貯水槽（２）を重層連結して設置する事で単体の大型貯水槽と同じ機能を持たせ、一個の自動開閉バルブ（５）の通信回線（４）を使った遠隔操作で貯水槽内の雨水の貯留や放流が出来るように接続し、かつ区域毎に操作系統を分けて、通常は各設置者が利用しているそれらの貯水槽を、災害危険時には行政側が一括して管理し、統一した信号を送って自由に自動開閉バルブ（５）の操作を行い、降雨状況に合わせて何度も繰返して河川へ流れる水量をコントロールする事で、降雨による災害を防止する。【選択図】        図１
2006029045.tif 000002
【特許請求の範囲】
【請求項１】
各家庭及び事業所（１）で、雨水の有効利用等を目的として個別に設置使用されている貯水槽（２）を、本来の使用目的を変えないで全体で連携して作動するようシステム化し、河川の各排水経路に合わせて一定区域毎に区分し、各河川を管理する監視センター（９）から一般的である携帯電話等の通信回線（４）を使い、各区域用に割り振られた専用信号を発信する事で、その区域内に設置され各貯水槽の排水管に接続された家庭用電源もしくは電池などの動力で開閉する自動開閉バルブ（５）を一括して遠隔操作し、素早く何度でも各貯水槽（２）の貯留水（３）の放水や貯留を遠隔操作管理する事により雨水による災害を防止する事が出来る、雨水管理システム。
【請求項２】
平坦な同一地盤に設置された各貯水槽（２）の底部分に給排水兼用孔（１１）を設け、そこから接続した各配管を連結し、給水側を建物雨樋（１２）につないで雨水の貯水を行い、排水側末端の排水溝（７）附近に監視センター（９）から携帯電話等の通信回線（４）の遠隔指令操作で作動する自動開閉バルブ（５）を設け、複数の連結した貯水槽（２）の貯留水（３）を、一箇所の自動開閉バルブの操作だけで放水や貯留の管理を繰返し出来る、請求項１記載の雨水管理システム。
【請求項３】
請求項１及び２記載の雨水管理システムにおいて、多重層で立体的に貯水槽（２）を連結して設置し、最上層段の貯水槽に入ってきた雨水は最下層段の貯水槽から順次満杯に貯水し、かつ溢れないように各段の貯水槽底部分の給排水兼用孔（１１）から伸びてくる連結配管（１０）の端部を順次下段の貯水槽（２）の貯留水面上部に合わせてボールタップ付自動給水制御水栓（１５）を設けて各段の貯水槽（２）の給水を制御し、最下階層の貯留水（３）を使用して減る場合は最上段層の貯水槽（２）の貯留水（３）から順に減って下段に給水する構造になり全体が大きな単体の貯水槽と同じような機能を有する事で、立体的に設置され連結された全ての貯水槽の（２）貯留水（３）を一箇所の自動開閉バルブ（５）の操作だけで放水や貯留の管理を繰返し出来る、請求項１及び２記載の雨水管理システム。
【発明の詳細な説明】
【技術分野】
【０００１】  本発明は雨水管理システムに関するものである。
【背景技術】
【０００２】  設置されている雨水用貯水槽の大部分は、公共施設などの大規模な物は別にして、一般的には節水を目的にした小規模な各家庭及び事業所で使用する為のものが主流であり、水害を防止する目的までは考慮されていなかった。まして都市部での貯水槽の設置は、スペースの確保の問題等から設置する際は地下に埋めたり建物裏の普段使わない通路部分にでも置けるような小型の貯水槽にならざるを得なかった。しかもこれらの各貯水槽は単独に管理されて各自がばらばらに使用しており、豪雨時に災害防止に貢献できる範囲は、初期降雨時の各貯水槽が満杯になるまでの雨量に対してだけになっていた。【０００３】  水災害の防止対策として作られる遊水池や調整池の機能は、河川の水位上昇と共に河川の水を取込む為、いくら貯水量の大きい遊水池や調整池を作っても本当に氾濫の危険が高まった時点でのその河川に流れてくる水量を抑えられる貯水能力範囲は大変少ないのが実態であり、長時間降雨で河川の水嵩が増えている後では、直後の雨量的には少なくても短時間の激しい降雨に対しては氾濫や堤防決壊の危険度は大変高くなり、危険個所に土嚢を積んだりしてただ雨が止むのを待つしかなかった。
【発明の開示】
【発明が解決しようとする課題】
【０００４】  地球温暖化と都市化の影響と見られる近年の局地的な豪雨は、都市部の中小河川（６）を簡単に氾濫させ被害を発生させている。水災害の防止対策は遊水池や調整池を作り又川幅を広げ川底を下げさらに堤の嵩上げ等をして河川の流せる水量を増やす工事が主流であった。しかし都市部でのこのような工事には土地の確保や多額の工事資金などの問題もあり簡単には解決されていない。都市部での水災害は、その区域内を流れる生活に密着した中小河川（６）の堤防の決壊や氾濫が主な原因になっており、大量の雨が降った際は雨水が地中に浸透できずに排水溝（７）等を通って短時間にこれらの中小河川に集中して流れ込む為、簡単に河川の制御限度を超えて溢れ、大きな被害を出す結果になる。しかし溢れる雨水の全体量はそんなに大きいものではなく時間的にも短いのが都市型水害の特徴であり堤防の決壊や氾濫の危険時に河川に流れる迄の水量を過大な資金をかけずに如何にして制御するか等の課題があった。
【課題を解決するための手段】
【０００５】  本発明の雨水管理システムは上記問題点を解決するために案出されたものである。
請求項１の雨水管理システムは各家庭及び事業所（１）で、雨水の有効利用等を目的として個別に設置使用されている貯水槽（２）を、本来の使用目的を変えないで全体で連携して作動するようシステム化し、河川の各排水経路に合わせて一定区域毎に区分し、各河川を管理する監視センター（９）から一般的である携帯電話等の通信回線（４）を使い、各区域用に割り振られた専用信号を発信する事で、その区域内に設置され各貯水槽の排水管に接続された家庭用電源もしくは電池などの動力で開閉する自動開閉バルブ（５）を一括して遠隔操作し、素早く何度でも各貯水槽（２）の貯留水（３）の放水や貯留を遠隔操作管理する事により雨水による災害を防止する事が出来る事を特徴とする。【０００６】  請求項２の雨水管理システムは請求項１記載の雨水管理システムにおいて、平坦な同一地盤に設置された各貯水槽（２）の底部分に給排水兼用孔（１１）を設け、そこから接続した各配管を連結し、給水側を建物雨樋（１２）につないで雨水の貯水を行い、排水側末端の排水溝（７）附近に監視センター（９）から携帯電話等の通信回線（４）の遠隔指令操作で作動する自動開閉バルブ（５）を設け、複数の連結した貯水槽（２）の貯留水（３）を、一箇所の自動開閉バルブの操作だけで放水や貯留の管理を繰返し出来る事を特徴とする。【０００７】  請求項３の雨水管理システムは請求項１及び２記載の雨水管理システムにおいて、多重層で立体的に貯水槽（２）を連結して設置し、最上層段の貯水槽に入ってきた雨水は最下層段の貯水槽から順次満杯に貯水し、かつ溢れないように各段の貯水槽底部分の給排水兼用孔（１１）から伸びてくる連結配管（１０）の端部を順次下段の貯水槽（２）の貯留水面上部に合わせてボールタップ付自動給水制御水栓（１５）を設けて各段の貯水槽（２）の給水を制御し、最下階層の貯留水（３）を使用して減る場合は最上段層の貯水槽（２）の貯留水（３）から順に減って下段に給水する構造になり全体が大きな単体の貯水槽と同じような機能を有する事で、立体的に設置され連結された全ての貯水槽の（２）貯留水（３）を一箇所の自動開閉バルブ（５）の操作だけで放水や貯留の管理を繰返し出来る事を特徴とする。
【発明の効果】
【０００８】  本発明は以下に記載される様な効果を奏する
（イ）本発明の雨水管理システムは、各家庭及び事業所（１）で雨水を有効利用目的に個別に設置使用されていた貯水槽（２）の貯留水（３）を、通信回線（４）などを利用して一定区域毎に一括して各戸の自動開閉バルブ（５）を遠隔操作する事が可能となり、区域全体を管理する管理センター（９）の一括操作で降雨状況や降雨予測、及び河川の水位状況に合わせて瞬時にその河川に流れ込む区域の貯水槽への貯水、放流の操作が可能になる事により、各区域河川への雨水の流れ込みの水量調整をして、雨水による災害を防止する事が出来る。
（ロ）本発明の雨水管理システムは、都市部の建物が密集している区域でも空いているスペースを使って小型の貯水槽（２）を連結して設置し、通常は設置した各家庭の庭の散水やトイレの洗浄水又は洗車等に使い、水災害危険時には管理センター（９）の管理のもと自動開閉バルブ（５）を遠隔操作して雨水による災害を防止する。又貯水槽（２）の連結は竹の地下茎の様な配管が可能な貯水槽を使うことにより、単個の自動開閉バルブ（５）で何個でも貯水槽（２）の設置数を増やす事が出来、過密な都市空間では立体的に配置配管できる事等で各区域河川への大量の雨水の流入をコントロールする事が可能になる。
（ハ）本発明の雨水管理システムは、管理センター（９）からの遠隔操作で各区域内の全ての自動開閉バルブ（５）を瞬時に操作できる事から、これまでの貯水池や遊水池機能の様にただ初期段階からの雨水を満杯に貯めてその分の河川への流水を減らす事とは違い、本当に氾濫の危険になってから各自動開閉バルブ（５）操作して区域内貯水槽に雨水を貯めさせ、瞬時に河川に流入する雨量を抑える事ができる。又河川流量に余裕が出た段階で各自動開閉バルブ（５）を操作し区域内貯水槽に貯まっている雨水を放流して次の氾濫危険時に備える事も可能である。このように一度の豪雨でも降り方に強弱の波があり、この波に合わせて何度でも貯水と放流を繰り返せる事で、区域内貯水槽貯水量の何倍もの雨量をコントロールでき、雨水による災害防止が可能になる。
【発明を実施するための最良の形態】
【０００９】  以下、本発明の実施の形態について説明する。
（イ）図１は本発明のシステム全体の概略図である。
現在は気象衛星などの画像から雨雲の流れや降雨量の予測ができるようになっており、各河川の危険個所の映像もリアルタイムに見ることが可能である。これらの情報を総合的に集め、各区域河川を管理する管理センター（９）から各河川の危険度に対応して、無線であり一般的に常時使われている携帯電話などの通信回線（４）を使い、区域毎に決められた統一された専用番号を発信する事で、その区域内に設置された全ての自動開閉バルブ（５）を一括して操作する事で、最も危険と思われる時点で各区域全体の雨量の河川への放出を抑え、被害を最小限にすることができる。尚、自動開閉バルブ（５）は家庭用電源もしくは電池などの動力で開閉し、通信回線（４）からの信号指示で作動させる。貯水槽（２）の清掃点検時には単独での手動開閉も可能である。
各区域の分割は排水経路に合わせたものにするのが基本となる。
（ロ）図２は空地の少ない都市部の一般的な家庭及び事業所（１）に小型の貯水槽（２）を設置した姿図である。
狭い空きスペースを使って小型の貯水槽（２）を竹の地下茎の様な連結配管（１０）で繋ぎ、平坦な同一地盤であれば何個でも連結して増やす事が可能であり、これら全ての貯水槽（２）の貯留水（３）は一箇所の自動開閉バルブ（５）の操作で放流や貯留する事が可能になる。自動開閉バルブ（５）の操作は貯管理センター（９）から発信された信号を各戸の受信装置（８）で受ける事で行う。
（ハ）図３は市街地等での狭い空間を利用し３段に重ねて小型の貯水槽（２）を設置した姿図である。
多重層で立体的に貯水槽（２）を連結して設置し、最上層段の貯水槽に入ってきた雨水は最下層段の貯水槽から順次満杯に貯水し、かつ溢れないように各段の貯水槽底部分の給排水兼用孔（１１）から伸びてくる連結配管（１０）の端部を順次下段の貯水槽（２）の貯留水面上部に合わせてボールタップ付自動給水制御水栓（１５）を設けて各段の貯水槽（２）の給水を制御し、最下階層の貯留水（３）を使用して減る場合は最上段層の貯水槽（２）の貯留水（３）から順に減って下段に給水する構造になり全体が大きな単体の貯水槽と同じような機能を有する事で、立体的に設置され連結された全ての貯水槽の（２）貯留水（３）を一箇所の自動開閉バルブ（５）の操作だけで放水や貯留の管理を繰返し出来る。
【実施例１】
【０００９】  本発明の雨水管理システムを稼動させる場合、次のような形態で行う。
（イ）区域河川に管理権のある行政側は、水害発生に影響のある範囲を指定し、各排水経路に合わせて図１のＡ〜Ｚの様に区域を分け、地域住民や事業者に助成制度なども考慮して貯水槽の設置を促しできるだけ大量の雨水を貯留管理できる様にして、通信回線を使った遠隔操作による雨水管理システムを構築する。
（ロ）各区域内に設置する貯水槽配管の開閉バルブは同一信号で作動させるようにセットする。都市部の狭い空間では図２の様に設置に簡単な小型貯水槽を連結する配管の設置方式や図３の様に立体的に設置して、できるだけ大量の雨水を貯留出来るようにする。
（ハ）貯水槽の貯留水は、通常は設置者の権利としてこれまで通り自由に使用できるが、災害の危険が発生した場合には貯留、及び放水の管理権が行政側に移り、災害の危険が無くなる迄自由に何度でもバルブ操作によって貯留、及び放水が出来る。その際、最終的に貯水槽の貯留水は管理権が行政側に移る前の状態より少なくなってもやむをえない。
（二）具体的に大量の降雨が予想され実際に降った場合、又は突然の都市型集中降雨が発生した場合を考える。
事前に降雨が予測される場合、降り始め前に全ての区域内開閉バルブを開放して放水状態のままにして貯水槽の貯留水位を下げておき、降雨が始まり区域内に流れる河川の水位が危険状態になってきた時点で各排水経路に合わせて分割した区域の開閉バルブを管理センターからの遠隔操作で状況に合わせて閉め、河川への雨水の流出を抑える。その後に降雨が小止みになって河川水位が下がり始めたら、その間を利用して一旦閉めた各区域の開閉バルブを再度開けて各貯水槽の貯留水を放流し次の降雨に備える。雨はいつも同じ調子で降るとは限らず都市部の河川は降雨量に合わせて短時間に水位が変化する。このような災害に対応するには、瞬時にこれらの河川に流れる雨量を自由にコントロールする必要がある。その為に携帯電話などの一般的に普及した通信回線の基本を使い、各区域に割り振られた信号をコントロールセンターから発信する事でこれらの事が可能になる。１つの低気圧通過時間内に状況に合わせて何度でも貯水槽の貯留水を放水したり貯留したりできる事は、設置してある貯水槽容量の何倍もの雨水をコントロールできる事になる。
このシステムは、これまでの遊水池や調整池のように本当に貯水能力を発揮して欲しいときに充分な機能を発揮出来ない水害防止対策システムとは違ったものである。
【図面の簡単な説明】
【００１１】
【図１】  本発明のシステム全体図である。
【図２】  空地の少ない都市部の一般的な家庭及び事業所に小型の貯水槽を設置した概略図である。
【図３】  市街地等での狭い空間を利用し３段に重ねて小型の貯水槽を設置した姿図である。
【符号の説明】
【００１２】  １      各家庭及び事業所
２      貯水槽
３      貯留水
４      通信回線
５      自動開閉バルブ
６      中小河川
７      排水溝
８      受信装置
９      管理センター
１０      連結配管
１１      給排水兼用孔
１２      建物雨樋
１３      立体配置用架台柱
１４      立体配置用架台梁
１５      ボールタップ付自動給水制御水栓
１６      オーバーブロー管
【図１】
2006029045.tif 000003
【図２】
2006029045.tif 000004
【図３】
2006029045.tif 000005